(57)【要約】【課題】単眼の望遠鏡本体を用いて双眼による観察を行うことができるようにする。【解決手段】両眼を用いて観察可能な観察部２２に、望遠鏡本体１０の本体着脱部１２に装着可能な着脱部２１を設け、単眼の望遠鏡本体１０を用いて両眼で観察ができるようにした。【選択図】図１
2007279189.tif 000002
【特許請求の範囲】
【請求項１】
望遠鏡本体に設けられた接眼部の着脱部に装着可能な着脱部と、
前記着脱部に設けられ、両眼を用いて観察可能な観察部と
を備えていることを特徴とする双眼装置。
【請求項２】
前記観察部は双眼接眼光学系を有することを特徴とする請求項１記載の双眼装置。
【請求項３】
前記双眼接眼光学系は、左右一対の接眼レンズと前記望遠鏡本体からの光を前記各々の接眼レンズの方向に分岐させる分岐光学系と、この分岐光学系で分岐された光が透過する２つの接眼レンズの光軸の間隔を調整する眼幅調整機構と、前記２つの光軸上にそれぞれ配置され、独立して焦点を調整可能なピント調整機構とを備えていることを特徴とする請求項２記載の双眼装置。
【請求項４】
前記観察部は、観察対象を撮像する撮像手段と、前記両眼の前方にそれぞれ配置され、前記撮像手段で取得した前記観察対象の画像を表示する画像表示手段とを有することを特徴とする請求項１記載の双眼装置。
【請求項５】
前記撮像手段はＣＣＤであることを特徴とする請求項４記載の双眼装置。
【請求項６】
請求項１〜５のいずれか１項記載の双眼装置を備えていることを特徴とする望遠鏡。
【発明の詳細な説明】
【技術分野】
【０００１】
この発明は双眼装置及びこの双眼装置を備える望遠鏡に関する。
【背景技術】
【０００２】
従来、望遠鏡本体と、この望遠鏡本体の本体着脱部に着脱可能な接眼レンズとを備えている望遠鏡が知られている（下記非特許文献参照）。
【０００３】
観察の際、接眼レンズとして倍率の異なる複数の単眼接眼レンズを用意し、必要に応じて倍率の異なる単眼接眼レンズに交換する。
【非特許文献１】ニコンフィールドスコープ、デジスコーピングシステムカタログ  ２００５．９．１
【発明の開示】
【発明が解決しようとする課題】
【０００４】
しかし、従来の望遠鏡は常に片目で観察を行うため、眼が疲れ易いという問題があった。
【０００５】
この発明はこのような事情に鑑みてなされたもので、その課題は単眼の望遠鏡本体を用いて双眼による観察を行うことができるようにすることである。
【課題を解決するための手段】
【０００６】
上記課題を解決するためこの発明は、望遠鏡本体に設けられた接眼部の着脱部に装着可能な着脱部と、前記着脱部に設けられ、両眼を用いて観察可能な観察部とを備えていることを特徴とする。
【発明の効果】
【０００７】
この発明によれば、単眼の望遠鏡本体を用いて双眼による観察を行うことができる。
【発明を実施するための最良の形態】
【０００８】
以下、この発明の実施の形態を図面に基づいて説明する。
【０００９】
図１はこの発明の第１実施形態に係る望遠鏡の断面を示す概念図である。
【００１０】
この望遠鏡１Ａは単眼の望遠鏡本体１０と双眼装置２０とからなる。
【００１１】
望遠鏡本体１０は対物レンズ１１と本体着脱部（望遠鏡本体１０に設けられる接眼部の着脱部）１２とを備えている。
【００１２】
双眼装置２０は着脱部（双眼装置２０側に設けられる、望遠鏡本体１０の着脱部に着脱する手段）２１と観察部２２とを備えている。
【００１３】
着脱部２１は望遠鏡本体１０の本体着脱部１２に例えばバヨネット等の嵌め合い構造によって離脱可能に取り付けられている。
【００１４】
観察部２２は双眼接眼光学系である。観察部２２は、プリズム２３Ａ，２３Ｂとミラー２４Ａ，２４Ｂとレンズ２８Ａ，２８Ｂと接眼フォーカスレンズ（接眼レンズ）２５Ａ，２５Ｂと接眼フォーカス回転繰り出し機構（ピント調整機構）２６Ａ，２６Ｂと眼幅調整ダイアル（眼幅調整機構）２７とを備えている。
【００１５】
プリズム２３Ａ，２３Ｂとミラー２４Ａ，２４Ｂとで望遠鏡本体１０からの光を左右に分岐させる分岐光学系が構成される。
【００１６】
レンズ２８Ａ及び接眼フォーカスレンズ２５Ａの光軸Ａ上にはプリズム２３Ａ及びミラー２４Ａが配置されている。対物レンズ１１によって結像された観察対象の像はレンズ２８Ａ及び接眼フォーカスレンズ２５Ａによって拡大されて観察者の一方の眼で観察される。また、接眼フォーカスレンズ２５Ａの前方には接眼フォーカス回転繰り出し機構２６Ａが配置され、接眼フォーカスレンズ２５Ａを光軸Ａに沿って矢印に示すように移動させてフォーカスを合わせることができる。
【００１７】
レンズ２８Ｂ及び接眼フォーカスレンズ２５Ｂの光軸Ｂ上にはプリズム２３Ｂ及びミラー２４Ｂが配置されている。対物レンズ１１によって結像された観察対象の像はレンズ２８Ｂ及び接眼フォーカスレンズ２５Ｂによって拡大されて観察者の他方の眼で観察される。また、接眼フォーカスレンズ２５Ｂの前方には接眼フォーカス回転繰り出し機構２６Ｂが配置され、接眼フォーカスレンズ２５Ｂを光軸Ｂに沿って矢印に示すように移動させてフォーカスを合わせることができる。光軸Ａ，Ｂは互いに平行である。
【００１８】
なお、ミラー２４Ａ，２４Ｂに代えてプリズムを用いてもよい。
【００１９】
眼幅調整ダイアル２７を回転させて光軸Ａ，Ｂの間隔（以下眼幅という）Ｌを変えることができる。
【００２０】
この望遠鏡１Ａの使用方法は以下の通りである。
【００２１】
まず、望遠鏡本体１０の本体着脱部１２に双眼装置２０の着脱部２１を装着する。
【００２２】
次に、眼幅調整ダイアル２７を回転させて眼幅Ｌを観察者の眼幅に合わせる。
【００２３】
その後、望遠鏡本体１０のフォーカスを合わせる。
【００２４】
次に、接眼フォーカス回転繰り出し機構２６Ａ，２６Ｂを操作して接眼フォーカスレンズ２５Ａ，２５Ｂのフォーカスを合わせる。
【００２５】
その後、両眼で観察を行う。
【００２６】
この実施形態によれば、双眼装置２０は望遠鏡本体１０の本体着脱部１２に装着可能な着脱部２１と観察部２２とを備えているので、容易に単眼の望遠鏡本体を用いて双眼による観察を行うことができる。双眼で観察できるため、常に片眼で観察するのに比べ、眼の疲れを軽減でき、観察の効率の向上を図ることができる。
【００２７】
なお、望遠鏡本体１０又は双眼装置２０にカメラ（図示せず）取付用の接続部（図示せず）を設け、観察対象を随時撮影できるようにしてもよい。
【００２８】
図２はこの発明の第２実施形態に係る望遠鏡の断面を示す概念図であり、第１実施形態と共通する部分には同一符号を付してその説明を省略する。
【００２９】
この望遠鏡１Ｂは望遠鏡本体１０と双眼装置１２０とからなる。
【００３０】
双眼装置１２０は接眼着脱部１２１と観察部１２２とを備えている。
【００３１】
観察部１２２は結像レンズ１２５とＣＣＤ（Ｃｈａｒｇｅ  Ｃｏｕｐｌｅｄ  Ｄｅｖｉｃｅ）（撮像手段）１３０とＬＣＤ（Ｌｉｑｕｉｄ  Ｃｒｙｓｔａｌ  Ｄｉｓｐｌａｙ）パネル（画像表示手段）（以下ＬＣＤという）１４０，１４５と制御基板１５０とを備える。
【００３２】
結像レンズ１２５はＣＣＤ１３０の受光面に望遠鏡本体１０からの光の強弱の光学像を結像させる。
【００３３】
ＣＣＤ１３０は、結像位置に配置され、観察対象を撮像する。
【００３４】
ＬＣＤ１４０，１４５はそれぞれ接眼フォーカスレンズ２５Ａ，２５Ｂの前方に配置される。
【００３５】
バックライト（図示せず）、ＬＣＤ１４０は接眼フォーカスレンズ２５Ａの光軸上に配置されている。また、バックライト（図示せず）、ＬＣＤ１４５は接眼フォーカスレンズ２５Ｂの光軸上に配置されている。
【００３６】
制御基板１５０はＩ／Ｏ機能を有するＣＰＵ（Ｃｅｎｔｒａｌ  Ｐｒｏｃｅｓｓｕｎｇ  Ｕｎｉｔ）で構成される。制御基板１５０はＣＣＤ１３０、ＬＣＤ１４０，１４５等の動作を制御する。
【００３７】
制御基板１５０はＣＣＤ１３０により撮像された観察対象のスルー画像（いわゆるモニタリング中の画像）をＬＣＤ１４０,１４５上に表示させる。
【００３８】
バックライトによって照明された、ＬＣＤ１４０上の画像が接眼フォーカスレンズ２５Ａによって拡大されて観察者の一方の眼で観察される。また、バックライトによって照明された、ＬＣＤ１４５上の画像が接眼フォーカスレンズ２５Ｂによって拡大されて観察者の他方の眼で観察される。
【００３９】
この望遠鏡１Ｂの使用方法は以下の通りである。
【００４０】
まず、望遠鏡本体１０の本体着脱部１２に双眼装置１２０の接眼着脱部１２１を装着する。
【００４１】
次に、眼幅調整ダイアル２７を回転させて眼幅Ｌを観察者の眼幅に合わせる。
【００４２】
その後、望遠鏡本体１０のフォーカスを合わせる。
【００４３】
次に、接眼フォーカス回転繰り出し機構２６Ａ，２６Ｂを操作して接眼フォーカスレンズ２５Ａ，２５Ｂのフォーカスを合わせる。
【００４４】
その後、両眼で観察を行う。
【００４５】
この実施形態によれば、第１実施形態と同様の効果を奏するとともに、ＣＣＤ１３０を用いて観察対象を撮像するようにしたので、第一実施形態より解像度の高い観察対象の画像を見ることができる。
【００４６】
なお、上記実施形態では撮像手段としてＣＣＤを用いたが、ＣＣＤに代えてＭＯＳ（Ｍｅｔａｌ  Ｏｘｉｄｅ  Ｓｅｍｉｃｏｎｄｕｃｔｏｒ）センサを用いてもよい。ＭＯＳセンサによれば、ＣＣＤに比べて駆動電圧を低くすることができ、消費電力を低減することができる。
【００４７】
図３は望遠鏡の断面を示す概念図であり、第１実施形態と共通する部分には同一符号を付してその説明を省略する。
【００４８】
この望遠鏡１Ｃは望遠鏡本体１０と双眼装置２２０とからなる。
【００４９】
双眼装置２２０は接眼着脱部２２１と観察部２２２とを備えている。
【００５０】
観察部２２２は単眼接眼レンズ２３０と表示部２４０と筐体２５０とを備えている。
【００５１】
接眼着脱部２２１は望遠鏡本体１０の本体着脱部１２に例えばバヨネット等の嵌め合い構造によって離脱可能に取り付けられている。
【００５２】
単眼接眼レンズ２３０は一方の眼の前方に配置される。単眼接眼レンズ２３０は接眼レンズ２３１，２３２を備えている。対物レンズ１１、接眼レンズ２３１，２３２は同一光軸上に配置され、対物レンズ１１によって結像された観察対象の像が接眼レンズ２３２，２３３によって拡大されて観察者の一方の眼で観察される。
【００５３】
表示部２４０は他方の眼の前方に配置される。表示部２４０はバックライト（図示せず）とＬＣＤ２４５と結像レンズ２４６とを備えている。ＬＣＤ２４５は結像レンズ２４６の前方に配置され、ＬＣＤ２４５にはメモリカード２６０に記憶された画像情報等が表示される。メモリカード２６０には観察対象（例えば野鳥）や地図等の情報を記憶させることが可能である。
【００５４】
バックライト、ＬＣＤ２４５は結像レンズ２４６の光軸上に配置され、バックライトによって照明された、ＬＣＤ２４５上の画像情報等が結像レンズ２４６によって拡大されて観察者の他方の眼で認識される。
【００５５】
単眼接眼レンズ２３０と表示部２４０とは筐体２５０を介して連結している。筐体２５０には制御基板２５１、電源スイッチ２５２、モード設定ボタン２５３及びバッテリ２５４が内蔵されている。筐体２５０の正面にはメモリカード２６０を挿入するためのスロット（図示せず）が設けられている。
【００５６】
制御基板２５１はＣＰＵ、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を備えており、ＣＰＵがＲＯＭに記憶されている制御プログラムをＲＡＭに展開することによって、ＬＣＤ２４５の動作を制御する。また、ＣＰＵは電源スイッチ２５２が操作されたとき、ＬＣＤ２４５上に例えばモード表示、バッテリ残量等の内部表示を表示させ、モード設定ボタン２５３が押されたとき、押される毎にモード（例えば晴天モード、雨モード）を切り換える。
【００５７】
この望遠鏡１Ｃは以下のように使用される。
【００５８】
まず、単眼接眼レンズ２３０を望遠鏡本体１０に装着する。
【００５９】
次に、眼幅調整ダイアル（図示せず）を回転させて眼幅を観察者の眼幅に合わせる。
【００６０】
その後、単眼接眼レンズ２３０のフォーカスを合わせる。
【００６１】
次に、一方の眼で単眼接眼レンズ２３０を介して観察対象を見ながら電源スイッチ２５２を操作する。内部表示がＬＣＤ２４５上に表示され、表示部２４０が使用可能状態になたことを他方の眼で認識することができる。
【００６２】
その後、モード設定ボタン２５３を押して所望のモードに設定する。観察対象に対応する画像情報等がＬＣＤ２４５上に表示される。
【００６３】
その結果、観察者の一方の眼で観察対象の画像を見ながら、他方の眼で観察対象に対応する画像情報等を見ることができる。
【００６４】
この実施形態によれば、第１実施形態と同様の効果を奏する。
【００６５】
なお、上述の各実施形態ではバヨネット等の嵌め合い構造を採用したが、これに代えてねじを採用してもよい。
【図面の簡単な説明】
【００６６】
【図１】図１はこの発明の第１実施形態に係る望遠鏡の断面を示す概念図である。
【図２】図２はこの発明の第２実施形態に係る望遠鏡の断面を示す概念図である。
【図３】図３は望遠鏡の断面を示す概念図である。
【符号の説明】
【００６７】
１Ａ，１Ｂ，１Ｃ：望遠鏡、１０：望遠鏡本体、１２：本体着脱部、２０，１２０，２２０：双眼装置、２１，１２１，２２１：接眼着脱部、２２，１２２，２２２：観察部、２３Ａ，２３Ｂ：プリズム、２４Ａ，２４Ｂ：ミラー、２５Ａ，２５Ｂ：接眼フォーカスレンズ（接眼レンズ）、２６Ａ，２６Ｂ：接眼フォーカス回転繰り出し機構（ピント調整機構）、２７：眼幅調整ダイアル（眼幅調整機構）、１３０：ＣＣＤ（撮像手段）、１４０，１４５：ＬＣＤパネル（画像表示手段）。
【図１】
2007279189.tif 000003
【図２】
2007279189.tif 000004
【図３】
2007279189.tif 000005